【事件の表示】
　国際登録第８０３４０８Ａ号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、「ＤＩＥＨＬ　ＣＯＮＴＲＯＬＳ」の欧文字を書してなり、第７類、第９類、第１１類及び第１２類に属する国際登録において指定された商品を指定商品として、２００３（平成１５年）年２月７日に、第８０３４０８号として国際登録されたものである。
　その後、指定国を日本とする部分について、２００５（平成１７年）年９月１４日に、国際登録の名義人の変更の記録がなされ、また、その指定商品については、原審における同年９月２０日付け限定の通報、当審における２００６（平成１８年）年７月２１日付け限定通報により、同通報に記載されたとおりの商品に限定されたが、前記二つの限定通報については、２００７（平成１９年）年９月６日付け国際登録簿に関する更正の通報により無効とされ、２００６年１２月１９日付けで国際登録簿に記録された限定通報（我が国への通報は２００７年１０月２９日）により、最終的に第７類「Ｅｌｅｃｔｒｉｃ　ｍｏｔｏｒｓ，ｃｏｎｔｒｏｌｓ　ｆｏｒ　ｅｌｅｃｔｒｉｃ　ｍｏｔｏｒｓ，ｄｉｓｈ　ｗａｓｈｉｎｇ　ｍａｃｈｉｎｅｓ，ｗａｓｈｉｎｇ　ａｐｐａｒａｔｕｓ，ａｌｌ　ｔｈｅ　ａｆｏｒｅｍｅｎｔｉｏｎｅｄ　ｇｏｏｄｓ，ｉｎ　ｐａｒｔｉｃｕｌａｒ　ｆｏｒ　ｕｓｅ　ｉｎ　ｄｏｍｅｓｔｉｃ　ａｐｐｌｉａｎｃｅｓ　ａｎｄ　ｉｎ　ｍｏｔｏｒ　ｖｅｈｉｃｌｅｓ．」、第９類「Ｃｏｍｐｕｔｅｒｓ；ｉｎｔｅｇｒａｔｅｄ　ｃｉｒｃｕｉｔｓ　ａｎｄ　ｏｔｈｅｒ　ｅｌｅｃｔｒｏｎｉｃ　ｃｉｒｃｕｉｔｓ（ｉｎｃｌｕｄｉｎｇ　ｔｈｏｓｅ　ｒｅｃｏｒｄｅｄ　ｗｉｔｈ　ｃｏｍｐｕｔｅｒ　ｐｒｏｇｒａｍｓ），ｆｒｅｑｕｅｎｃｙ　ｃｏｎｖｅｒｔｅｒｓ，ｐｏｗｅｒ　ｓｕｐｐｌｉｅｓ，ｅｌｅｃｔｒｏｍｅｃｈａｎｉｃａｌ　ａｎｄ　ｅｌｅｃｔｒｏｎｉｃ　ｔｈｅｒｍｏｓｔａｔ　ｃｏｎｔｒｏｌｓ，ｗｉｒｅ−ｃｏｎｎｅｃｔｅｄ　ａｎｄ　ｗｉｒｅｌｅｓｓ　ｅｌｅｃｔｒｉｃａｌ　ｒｅｍｏｔｅ−ａｃｔｉｏｎ　ａｎｄ　ｓｉｇｎａｌ　ｔｒａｎｓｍｉｓｓｉｏｎ　ｄｅｖｉｃｅｓ，ｏｐｅｒａｔｉｎｇ　ｋｎｏｂｓ　ａｎｄ　ｂｕｔｔｏｎｓ（ｅｌｅｃｔｒｉｃ　ｓｗｉｔｃｈｅｓ）ｆｏｒ　ｃｏｏｋｉｎｇ　ｄｅｖｉｃｅｓ，ｒｅｆｒｉｇｅｒａｔｏｒｓ，ｆｒｅｅｚｅｒｓ，ｗａｓｈｉｎｇ　ｍａｃｈｉｎｅｓ，ｄｉｓｈ　ｗａｓｈｅｒｓ，ｄｒｙｅｒｓ　ａｎｄ　ｏｔｈｅｒ　ｈｏｕｓｅｈｏｌｄ　ａｐｐｌｉａｎｃｅｓ，ｋｅｙｂｏａｒｄｓ，ｉｎｐｕｔ　ｃｏｎｓｏｌｅｓ　ａｎｄ　ｏｔｈｅｒ　ｃｏｎｔｒｏｌ　ｈａｎｄｌｅｓ　ｆｏｒ　ｓｗｉｔｃｈ　ｄｅｖｉｃｅｓ　ｏｆ　ｈｏｕｓｅｈｏｌｄ　ａｐｐｌｉａｎｃｅｓ，ｌｉｑｕｉｄ　ｃｒｙｓｔａｌ　ｄｉｓｐｌａｙｓ，ＬＥＤ　ｄｉｓｐｌａｙｓ　ａｎｄ　ｏｔｈｅｒ　ｄｉｓｐｌａｙｓ，ｔｏｕｃｈ　ｐａｎｅｌｓ　ｆｏｒ　ｔｏｕｃｈ　ｐａｎｅｌ　ｄｅｖｉｃｅｓ　ｆｏｒ　ｃｏｏｋｉｎｇ　ｄｅｖｉｃｅｓ，ｒｅｆｒｉｇｅｒａｔｏｒｓ，ｆｒｅｅｚｅｒｓ，ｗａｓｈｉｎｇ　ｍａｃｈｉｎｅｓ，ｄｉｓｈ　ｗａｓｈｅｒｓ，ｄｒｙｅｒｓ　ａｎｄ　ｏｔｈｅｒ　ｈｏｕｓｅｈｏｌｄ　ａｐｐｌｉａｎｃｅｓ；ｓｏｌｅｎｏｉｄ　ｖａｌｖｅｓ，ｉｎ　ｐａｒｔｉｃｕｌａｒ　ｆｏｒ　ｕｓｅ　ｉｎ　ｄｏｍｅｓｔｉｃ　ａｐｐｌｉａｎｃｅｓ　ａｎｄ　ｉｎ　ｍｏｔｏｒ　ｖｅｈｉｃｌｅｓ．」、第１１類「Ｅｌｅｃｔｒｉｃａｌ　ｂａｋｉｎｇ　ｏｖｅｎｓ　ａｎｄ　ｓｔｏｖｅｓ，ｈｅａｔｉｎｇ　ａｎｄ　ｃｏｏｋｉｎｇ　ａｐｐｌｉａｎｃｅｓ，ｈｏｔ　ｐｌａｔｅｓ；ｃｏｉｌｓ（ｐａｒｔｓ　ｏｆ　ｈｅａｔｉｎｇ　ｉｎｓｔａｌｌａｔｉｏｎ）；ｃｏｉｌ　ｈｏｌｄｅｒｓ（ｐａｒｔｓ　ｏｆ　ｃｏｉｌｓ　ｏｆ　ｈｅａｔｉｎｇ　ｉｎｓｔａｌｌａｔｉｏｎ），ｒａｄｉａｎｔ　ｈｅａｔｉｎｇ　ｂｏｄｉｅｓ（ｐａｒｔｓ　ｏｆ　ｈｅａｔｉｎｇ　ａｐｐｌｉａｎｃｅｓ），ｒｅｆｒｉｇｅｒａｔｏｒｓ，ｆｒｅｅｚｅｒｓ，ｄｒｙｉｎｇ　ａｐｐｌｉａｎｃｅｓ，ｐａｒｔｓ　ｏｆ　ｔｈｅ　ａｆｏｒｅｍｅｎｔｉｏｎｅｄ　ｇｏｏｄｓ，ｉｎ　ｐａｒｔｉｃｕｌａｒ　ｉｎｊｅｃｔｉｏｎ−ｍｏｕｌｄｅｄ　ａｎｄ　ｐｒｅｓｓｅｄ　ｐａｒｔｓ（ｐｌａｓｔｉｃ　ｃｏｍｐｏｎｅｎｔｓ）．」及び第１２類「Ｐｌａｓｔｉｃ　ｉｎｊｅｃｔｉｏｎ−ｍｏｕｌｄｅｄ　ａｎｄ　ｐｒｅｓｓｅｄ　ｃｏｍｐｏｎｅｎｔｓ　ａｓ　ｍｏｔｏｒ　ｖｅｈｉｃｌｅ　ｐａｒｔｓ　ｉｎｃｌｕｄｅｄ　ｉｎ　ｔｈｉｓ　ｃｌａｓｓ．」に限定されたものである。
２　原査定の拒絶の理由（要旨）
　原査定は、「指定商品は、商標とともに権利範囲を定めるものであるから、その内容及び範囲は明確でなければならないところ、本願に係る指定商品中、第７類「Ｒｏｔａｒｙ　ｄｒｕｍ　ａｎｄ　ｒｏｔａｒｙ　ａｒｍ　ｄｒｉｖｅｓ，ｐｕｍｐ　ｄｒｉｖｅｓ，ｍｏｔｏｒ　ｃｏｎｔｒｏｌｓ，ｓｏｌｅｎｏｉｄ　ｖａｌｖｅｓ，ａｌｌ　ｔｈｅ　ａｆｏｒｅｍｅｎｔｉｏｎｅｄ　ｇｏｏｄｓ，ｉｎ　ｐａｒｔｉｃｕｌａｒ　ｆｏｒ　ｕｓｅ　ｉｎ　ｄｏｍｅｓｔｉｃ　ａｐｐｌｉａｎｃｅｓ　ａｎｄ　ｉｎ　ｍｏｔｏｒ　ｖｅｈｉｃｌｅｓ．」、第９類「Ｃｏｎｔｒｏｌｓ　ｆｏｒ　ａｐｐａｒａｔｕｓｅｓ　ｗｈｉｃｈ　ａｒｅ　ｍｏｔｏｒ−ｏｐｅｒａｔｅｄ　ａｎｄ　ｎｏｎ−ｍｏｔｏｒ−ｏｐｅｒａｔｅｄ，ｒｏｔａｒｙ　ｓｐｅｅｄ　ｒｅｇｕｌａｔｏｒｓ，ｓｅｎｓｏｒｓ　ａｎｄ　ｍｅａｓｕｒｉｎｇ　ｄｅｖｉｃｅｓ，ｉｎ　ｐａｒｔｉｃｕｌａｒ　ｆｏｒ　ｗｅｉｇｈｔ，ｗａｔｅｒ　ｌｅｖｅｌ，ｒｏｔａｒｙ　ｓｐｅｅｄ　ａｎｄ　ｆｏｒ　ｅｎｖｉｒｏｎｍｅｎｔａｌ　ｐａｒａｍｅｔｅｒｓ　ｉｎ　ｗａｔｅｒ　ａｎｄ　ｉｎ　ａｉｒ　ｓｕｃｈ　ａｓ　ｈａｒｄｎｅｓｓ，ｓａｌｔ　ｃｏｎｔｅｎｔ，ｔｅｍｐｅｒａｔｕｒｅ　ａｎｄ　ｐｒｅｓｓｕｒｅ，ｔｉｍｅ　ａｎｄ　ｐｒｏｇｒａｍ　ｃｏｎｔｒｏｌｓ　ａｓ　ｗｅｌｌ　ａｓ　ｐｒｏｇｒａｍ　ｓｗｉｔｃｈｅｓ，ｏｐｅｒａｔｉｎｇ　ｋｎｏｂｓ　ａｎｄ　ｂｕｔｔｏｎｓ，ｉｎｐｕｔ　ｃｏｎｓｏｌｅｓ　ａｎｄ　ｏｔｈｅｒ　ｃｏｎｔｒｏｌ　ｈａｎｄｌｅｓ　ｆｏｒ　ｅｌｅｃｔｒｏｍｅｃｈａｎｉｃａｌ　ａｎｄ　ｅｌｅｃｔｒｏｎｉｃ　ｓｗｉｔｃｈ　ｄｅｖｉｃｅｓ，ｅｌｅｃｔｒｏｍｅｃｈａｎｉｃａｌ　ａｎｄ　ｏｐｔｏ−ｅｌｅｃｔｒｏｎｉｃ　ｓｉｇｎａｌ　ａｎｄ　ｄｉｓｐｌａｙ　ｄｅｖｉｃｅｓ，ｉｎｓｔｒｕｍｅｎｔ　ｐａｎｅｌｓ　ｗｉｔｈ　ｉｎｔｅｇｒａｔｅｄ　ｍｏｕｎｔｉｎｇｓ　ｆｏｒ　ｓｗｉｔｃｈ　ｄｅｖｉｃｅｓ　ａｎｄ　ｆｏｒ　ｃｏｎｔｒｏｌ　ｃｉｒｃｕｉｔｓ．」及び第１１類「ｃｏｏｋｉｎｇ　ｖｅｓｓｅｌｓ　ａｎｄ　ｂａｓｉｎｓ，ｈｏｔ　ｐｌａｔｅｓ　ａｎｄ　ｈｅａｔｉｎｇ　ｃｏｉｌｓ，ｈｅａｔｉｎｇ　ｃｏｉｌ　ｈｏｌｄｅｒｓ，ｒａｄｉａｎｔ　ｈｅａｔｉｎｇ　ｂｏｄｉｅｓ，ａｐｐｌｉａｎｃｅｓ　ｆｏｒ　ｋｅｅｐｉｎｇ　ｉｔｅｍｓ　ｈｏｔ，ｒｅｆｒｉｇｅｒａｔｉｎｇ　ａｎｄ　ｆｒｅｅｚｉｎｇ　ａｐｐｌｉａｎｃｅｓ，ｒｉｎｓｉｎｇ，ｗａｓｈｉｎｇ，ｓｐｉｎ　ａｎｄ　ｄｒｙｉｎｇ　ａｐｐｌｉａｎｃｅｓ．」は、その内容及び範囲を明確に指定したものとは認められない。したがって、本願は、商標法第６条第１項の要件を具備しない。」旨認定、判断し、本願を拒絶したものである。
３　当審の判断
　原査定において不明確とされた商品については、前記１のとおり限定された結果、商品の内容及び範囲が明確なものになり、本願に係る指定商品は、商標法第６条第１項の要件を具備するものとなった。
　したがって、原査定の拒絶の理由は、解消した。
　その他、政令で定める期間内に本願について拒絶の理由を発見しない。
　よって、結論のとおり審決する。